【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
体積平均粒子径が８０〜６００ｎｍであるゴム質重合体（ａ）の存在下に、不飽和ニトリル系単量体、芳香族ビニル系単量体、および（メタ）アクリル酸エステル系単量体よりなる群から選ばれるビニル系単量体をグラフト共重合してなるグラフト共重合体（Ａ）２０〜７０質量部と、
不飽和ニトリル系単量体、芳香族ビニル系単量体、および（メタ）アクリル酸エステル系単量体よりなる群から選ばれるビニル系単量体を含有するビニル系単量体混合物であって、芳香族ビニル系単量体としてスチレンおよびα−メチルスチレンを必須とするビニル系単量体混合物を共重合してなる共重合体（Ｂ）３０〜８０質量部とを含有する（但し、グラフト共重合体（Ａ）および共重合体（Ｂ）の合計は１００質量部である）熱可塑性樹脂組成物であって、
前記ビニル系単量体混合物が、不飽和ニトリル系単量体５〜２０質量％、芳香族ビニル系単量体１０〜３０質量％、（メタ）アクリル酸エステル系単量体５０〜８５質量％、および他のビニル系単量体０〜１０質量％からなり、
前記ビニル系単量体混合物における芳香族ビニル系単量体が、スチレン５〜３０質量％とα−メチルスチレン７０〜９５質量％とを含むことを特徴とする熱可塑性樹脂組成物。
【請求項２】
前記共重合体（Ｂ）が懸濁重合にて得られることを特徴とする請求項１に記載の熱可塑性樹脂組成物。
【請求項３】
前記共重合体（Ｂ）が、アルケニルコハク酸カリウムを懸濁助剤とする懸濁重合にて得られることを特徴とする請求項２に記載の熱可塑性樹脂組成物。
【請求項４】
前記ゴム質重合体（ａ）が、アクリル酸アルキルエステル単量体単位と多官能性単量体単位を含むアクリル系ゴム、或いは、ポリオルガノシロキサンとアクリル酸アルキルエステル単量体単位と多官能性単量体単位を含むアクリル系ゴムからなるアクリル系複合ゴムであることを特徴とする請求項１ないし３のいずれか１項に記載の熱可塑性樹脂組成物。
【請求項５】
前記グラフト共重合体（Ａ）は、ゴム質重合体（ａ）４０〜８０質量％の存在下に、不飽和ニトリル系単量体、芳香族ビニル系単量体、および（メタ）アクリル酸エステル系単量体よりなる群から選ばれるビニル系単量体６０〜２０質量％をグラフト共重合してなるものであることを特徴とする請求項１ないし４のいずれか１項に記載の熱可塑性樹脂組成物。
【請求項６】
前記グラフト共重合体（Ａ）のグラフト率が２０〜１５０％であり、アセトン可溶部の還元粘度が０．３０〜０．７０ｄＬ／ｇであり、前記共重合体（Ｂ）の還元粘度が０．３０〜０．７０ｄＬ／ｇであることを特徴とする請求項１ないし５のいずれか１項に記載の熱可塑性樹脂組成物。
【請求項７】
熱可塑性樹脂組成物全体に占めるゴム質重合体（ａ）の含有量が、１０〜３０質量％の範囲であることを特徴とする請求項１ないし６のいずれか１項に記載の熱可塑性樹脂組成物。
【請求項８】
請求項１ないし７のいずれか１項に記載の熱可塑性樹脂組成物を成形してなることを特徴とする熱可塑性樹脂成形品。
【手続補正２】
【補正対象書類名】明細書
【補正対象項目名】００１３
【補正方法】変更
【補正の内容】
【００１３】
［１］  体積平均粒子径が８０〜６００ｎｍであるゴム質重合体（ａ）の存在下に、不飽和ニトリル系単量体、芳香族ビニル系単量体、および（メタ）アクリル酸エステル系単量体よりなる群から選ばれるビニル系単量体をグラフト共重合してなるグラフト共重合体（Ａ）２０〜７０質量部と、不飽和ニトリル系単量体、芳香族ビニル系単量体、および（メタ）アクリル酸エステル系単量体よりなる群から選ばれるビニル系単量体を含有するビニル系単量体混合物であって、芳香族ビニル系単量体としてスチレンおよびα−メチルスチレンを必須とするビニル系単量体混合物を共重合してなる共重合体（Ｂ）３０〜８０質量部とを含有する（但し、グラフト共重合体（Ａ）および共重合体（Ｂ）の合計は１００質量部である）熱可塑性樹脂組成物であって、前記ビニル系単量体混合物が、不飽和ニトリル系単量体５〜２０質量％、芳香族ビニル系単量体１０〜３０質量％、（メタ）アクリル酸エステル系単量体５０〜８５質量％、および他のビニル系単量体０〜１０質量％からなり、前記ビニル系単量体混合物における芳香族ビニル系単量体が、スチレン５〜３０質量％とα−メチルスチレン７０〜９５質量％とを含むことを特徴とする熱可塑性樹脂組成物。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
［２］  前記共重合体（Ｂ）が懸濁重合にて得られることを特徴とする［１］に記載の熱可塑性樹脂組成物。
【手続補正６】
【補正対象書類名】明細書
【補正対象項目名】００１７
【補正方法】変更
【補正の内容】
【００１７】
［３］  前記共重合体（Ｂ）が、アルケニルコハク酸カリウムを懸濁助剤とする懸濁重合にて得られることを特徴とする［２］に記載の熱可塑性樹脂組成物。
【手続補正７】
【補正対象書類名】明細書
【補正対象項目名】００１８
【補正方法】変更
【補正の内容】
【００１８】
［４］  前記ゴム質重合体（ａ）が、アクリル酸アルキルエステル単量体単位と多官能性単量体単位を含むアクリル系ゴム、或いは、ポリオルガノシロキサンとアクリル酸アルキルエステル単量体単位と多官能性単量体単位を含むアクリル系ゴムからなるアクリル系複合ゴムであることを特徴とする［１］ないし［３］のいずれかに記載の熱可塑性樹脂組成物。
【手続補正８】
【補正対象書類名】明細書
【補正対象項目名】００１９
【補正方法】変更
【補正の内容】
【００１９】
［５］  前記グラフト共重合体（Ａ）は、ゴム質重合体（ａ）４０〜８０質量％の存在下に、不飽和ニトリル系単量体、芳香族ビニル系単量体、および（メタ）アクリル酸エステル系単量体よりなる群から選ばれるビニル系単量体６０〜２０質量％をグラフト共重合してなるものであることを特徴とする［１］ないし［４］のいずれかに記載の熱可塑性樹脂組成物。
【手続補正９】
【補正対象書類名】明細書
【補正対象項目名】００２０
【補正方法】変更
【補正の内容】
【００２０】
［６］  前記グラフト共重合体（Ａ）のグラフト率が２０〜１５０％であり、アセトン可溶部の還元粘度が０．３０〜０．７０ｄＬ／ｇであり、前記共重合体（Ｂ）の還元粘度が０．３０〜０．７０ｄＬ／ｇであることを特徴とする［１］ないし［５］のいずれかに記載の熱可塑性樹脂組成物。
【手続補正１０】
【補正対象書類名】明細書
【補正対象項目名】００２１
【補正方法】変更
【補正の内容】
【００２１】
［７］  熱可塑性樹脂組成物全体に占めるゴム質重合体（ａ）の含有量が、１０〜３０質量％の範囲であることを特徴とする［１］ないし［６］のいずれかに記載の熱可塑性樹脂組成物。
【手続補正１１】
【補正対象書類名】明細書
【補正対象項目名】００２２
【補正方法】変更
【補正の内容】
【００２２】
［８］  ［１］ないし［７］のいずれかに記載の熱可塑性樹脂組成物を成形してなることを特徴とする熱可塑性樹脂成形品。